(57)【要約】電気泳動ディスプレイパネル（１）は、階調パルスの印加に先行してオーバーリセットパルスを供給するために、複数のピクチャ要素（２）と、駆動手段（１００）とを有する。そのディスプレイパネルは、２つ又はそれ以上の散在した表示要素の群を有する。各々の群は、それら自体のオーバーリセット電位差のスキーム（Ｉ、ＩＩ）を供給され、オーバーリセット電位差のための適用スキームは、オーバーリセット条件が維持される時間が少なくとも一部の遷移のための前記群間で異なるように、群毎に異なる。
2007519972.tif 000002
【特許請求の範囲】
【請求項１】
電気泳動ディスプレイパネルであって：
帯電粒子を有する電気泳動媒体；
複数のピクチャ要素；
電位差を受けるための各々のピクチャ要素と関連付けられた電極であって、前記帯電粒子は電極近傍の極限位置及び前記電極間の中間位置を占めることができ、前記極限位置は極限光学状態と関連付けられる、電極；並びに
駆動手段であって、各々のピクチャ要素に対して、
粒子が前記極限位置の一を実質的に占めるようにするためのリセット電位差と、
粒子が画像情報に対する位置を占めるようにするための階調電位差と
を供給するために備えられている、駆動手段；
を有する電気泳動ディスプレイパネルであり、
前記駆動手段は、光学状態から前記極限光学状態の一にピクチャ要素をオーバーリセットするための前記階調電位差の印加に先行してオーバーリセット電位差を供給するために備えられ、複数のピクチャ要素はピクチャ要素の２つ又はそれ以上の散在する群を有する、前記駆動手段であり、前記駆動手段は、各々の群にそれら自体のオーバーリセット電位差の適用スキームを供給するために備えられ、オーバーリセット電位差のための前記適用スキームは、オーバーリセット条件が維持される時間期間が最初の光学状態から極限光学状態を介して最終の光学状態にピクチャ要素の少なくとも一部の遷移のために前記群の間で変わるように、群毎に異なる；
ことを特徴とする電気泳動ディスプレイパネル。
【請求項２】
請求項１に記載の電気泳動ディスプレイパネルであって、前記駆動手段は、前記オーバーリセット信号の適用のための適用スキームはフレーム間の群の間で交番するように、オーバーリセット電位差を供給するように備えられている、ことを特徴とする電気泳動ディスプレイパネル。
【請求項３】
請求項１に記載の電気泳動ディスプレイパネルであって、前記駆動手段は、ピクチャ要素の各々の群にそれら自体のオーバーリセット電位差を供給するように備えられ、オーバーリセット電位差のための前記適用スキームは時間差のみにだけ群毎に異なる、ことを特徴とする電気泳動ディスプレイパネル。
【請求項４】
請求項１に記載の電気泳動ディスプレイパネルであって、前記駆動手段は、各々の群にそれら自体のオーバーリセット電位差を供給するように備えられ、オーバーリセット信号のための前記適用スキームは、前記適用された電位差における差のみが前記群の間で確立されるように、群毎に異なる、ことを特徴とする電気泳動ディスプレイパネル。
【請求項５】
請求項１に記載の電気泳動ディスプレイパネルであって、前記駆動手段は、ピクチャ要素の群の間で前記適用スキームが異なるように備えられ、時間差は、最大期間より短い期間の間、前記オーバーリセット電位差が印加される遷移のための群の間に確立されるが、ピクチャ要素の全ての群について、最大時間長のオーバーリセット電位差の適用は、共通の開始時点及び終了時点を有する最大時間期間において同期化され、そして、全ての群及び遷移について、前記のオーバーリセットの適用は、前記最大時間期間を超えて時間を長くしない、駆動手段である、ことを特徴とする電気泳動ディスプレイパネル。
【請求項６】
複数のピクチャ要素を有する電気泳動ディスプレイ装置を駆動するための方法であって、前記方法において、リセット電位差が、前記ピクチャ要素に対する階調電位差の適用に先行して、ディスプレイ装置のピクチャ要素に印加される、方法であり、光学状態から極限光学状態にピクチャ要素をオーバーリセットするためのオーバーリセット電位差が適用され、前記の複数のピクチャ要素はピクチャ要素の２つ又はそれ以上の散在した群を有する、方法であり、各々の群はそれら自体のオーバーリセット電位差のスキームを供給され、オーバーリセット条件が維持される時間期間は、最初の光学状態から中間の光学状態を介して最終の光学状態にピクチャ要素の少なくとも一部の遷移のために前記のピクチャ要素の群の間で異なるように、前記のオーバーリセット電位差の適用スキームは群毎に異なる、ことを特徴とする方法。
【請求項７】
請求項６に記載の方法であって、前記オーバーリセット電位差は、前記オーバーリセット信号の適用のための前記適用スキームがフレーム間の群間で交番する、ことを特徴とする方法。
【請求項８】
請求項６に記載の方法であって、各々の群はそれら自体のオーバーリセット電位差を供給され、前記のオーバーリセット電位差のための適用スキームは、時間差のみだけ群毎に異なる、ことを特徴とする方法。
【請求項９】
請求項６に記載の方法であって、各々の群はそれら自体のオーバーリセット信号を有し、前記のオーバーリセット信号のための適用スキームは、前記適用される電位差における差のみが前記群間で確立されるように、群毎に異なる、ことを特徴とする方法。
【請求項１０】
プログラムがコンピュータで実行されるとき、請求項６に記載の方法にしたがった方法を実行するためのプログラムコード手段を有することを特徴とするコンピュータプログラム。
【請求項１１】
プログラムがコンピュータで実行されるとき、請求項６に記載の方法にしたがった方法を実行するためのコンピュータ読み出し可能媒体に記憶されているプログラムコード手段を有することを特徴とするコンピュータプログラム。  
【請求項１２】
請求項１に記載の電気泳動ディスプレイパネルのためであることを特徴とする駆動手段。
【発明の詳細な説明】
【技術分野】
【０００１】
本発明は、電気泳動ディスプレイパネルであって：
−  帯電粒子を有する電気泳動媒体；
−  複数のピクチャ要素；
−  電位差を受けるための各々のピクチャ要素と関連付けられた電極であって、帯電粒子は、電極間の中間の位置及び電極近傍の極限の位置を占めることができる、電極；
−  ドライブ手段であって、複数のピクチャ要素の各々に対して、
帯電粒子が極限の位置の１つを実質的に占めるようにするためにリセット期間中にリセット持続時間及びリセット値を有するリセット電位差であって、粒子が画像情報に対応する位置を占めるようにするための階調電位差である、リセット電位差、
を供給するために備えられている、ドライブ手段；
を有する、電気泳動ディスプレイパネルに関する。
【０００２】
本発明はまた、複数のピクチャ要素を有する電気泳動表示装置を駆動するための方法であって、その方法において、リセット電位差が、前記ピクチャ要素に対する階調電位差の印加に先行して、その表示装置のピクチャ要素に印加される、方法に関する。
【背景技術】
【０００３】
冒頭の段落に記載されている種類の電気泳動ディスプレイパネルの実施形態については、国際公開第０２／０７３３０４号パンフレットに記載されている。
【０００４】
その記載されている電気泳動ディスプレイパネルにおいては、各々のピクチャ要素は、ピクチャの表示中に、ピクチャの位置により決定されるアピアランスを有する。しかしながら、粒子の位置は、電位差ばかりでなく、電位差の履歴にも依存する。リセット電位差の印加の結果としての、ピクチャ要素のアピアランスの履歴依存性は、階調電位差が印加される前に粒子が極限位置の一を実質的に占めているために低減される。それ故、ピクチャ要素は、極限状態の一にいちいちリセットされる。続いて、階調電位差の結果として、粒子は、画像情報に対応する階調を表示する位置を占める。“階調”は、何れの中間状態を意味するとして理解される。表示が白黒表示であるとき、“階調”は、実際には、階調の濃淡に関係し、他の種類のカラー要素が用いられるとき、‘階調’は、極限状態間の何れの中間的状態を包含するとして理解される。
【０００５】
画像情報が変化するとき、ピクチャ要素はリセットされる。本発明者は、オーバーリセット電位差が印加されるとき、最適な結果が得られると理解した。オーバーリセット電位差の印加は、用語‘オーバーリセット’が意味するように、リセット電位が印加されるとき、印加されるリセット電位差とリセット電位差が印加される時間期間との積が、実際には、リセットが過度になされるように印加される、即ち、ピクチャ要素をリセットするために通常必要であることに比べて非常に長い時間の間、リセット電位差が印加される、即ち、要素を所望の極限状態にする、ことを意味する。そのような印加を、ここでは、‘オーバーリセット’又は‘オーバーリセット電位差の印加’という。本発明者は、オーバーリセット電位差の印加中、ディスプレイにおける画像は、ビューアにとって魅力のない画像における変化を示し得ることを理解した。特に、一の画像から他の画像への切り替えは全く魅力のないものである可能性がある。ある期間中、可視的な不快な白黒画像が生成される。不快な灰色色調の画像がある時間中、可視的である純粋の白黒画像を介して、灰色色調を有する一の画像から灰色色調を有する他の画像へのこの遷移は、ビューアにとって邪魔である。‘オーバーリセット電位差’、‘オーバーリセット電位差の印加’及び‘オーバーリセット’は、それ故、実際に、ピクチャ要素を極限光学状態にするために通常必要であるものに比べて長く適用されるリセット電位差を意味する。
【特許文献１】国際公開第０２／０７３３０４号パンフレット
【発明の開示】
【発明が解決しようとする課題】
【０００６】
本発明の目的は、一の画像から他の画像への非常に魅力的な切り替えを行うことができる、冒頭の段落で説明した種類のディスプレイパネルを提供することである。
【課題を解決するための手段】
【０００７】
それ故、極限光学状態の一にある光学状態からピクチャ要素をオーバーリセットするための階調電位差の印加に先行してオーバーリセット電位差を供給するためにドライブ手段を備える目的であって、複数のピクチャ要素はピクチャ要素の２つ又はそれ以上の散在した群を有し、ドライブ手段はオーバーリセット電位差の印加スキームを各々の群に供給するために備えられ、ドライブ手段は、オーバーリセット電位差の印加スキーム、即ち、
オーバーリセット条件が維持される時間期間が、最初の光学状態から中間の極限光学状態を介して最終の光学状態へのピクチャ要素の少なくとも一部の遷移のために前記群の間で異なる様式で、群毎に異なるオーバーリセット電位差のための印加スキームを、各々の群に供給するために備えられている、目的が達成される。
【０００８】
極限状態の一に対してピクチャ要素をリセットすることは、リセット電位の印加を異なるピクチャ要素に対して要求する。本発明にしたがった装置においては、オーバーリセット電位差が印加され、即ち、上記のように、リセット電位差は、時間期間内の特定の瞬間にオーバーリセット条件が確立されるような長い時間期間の間に印加される。オーバーリセット条件は、極限状態には既に達しているが、時間期間の間にピクチャ要素に対して電位差が尚も、維持されている条件である。オーバーリセット電位に先行して、灰色色調を有する画像が示される。オーバーリセット電位の印加の最初のフェーズの間、灰色色調の画像は、白黒画像、即ち、ピクチャ要素の各々が極限状態にある画像に変えられる。オーバーリセット条件に達したとき、各々の要素は、純粋な白色又は純粋な黒色であり、そして階調電位差が印加されるまで保たれる。画像は、それ故、この白黒画像にある時間期間の間、保たれ、その後、灰色色調を有する新しい画像に変化する。各々のピクチャ要素は、それ故、極限光学状態（リセット）を介して最終光学状態に最初の光学状態の遷移を受ける。したがって、灰色色調を有する最初の画像は、先ず、オーバーリセット条件が適用される時間期間の間、何れの灰色色調に欠けている純粋な白黒画像を中間画像に変化し、その後、その画像は、灰色色調を有する最終画像に変化する。ハーシュ中間画像は、ある時間の間、可視的であり、ビューアにとって攪乱的である。
【０００９】
本発明の概念は、ディスプレイパネル、それと共にディスプレイパネルに表示される画像を２つ又はそれ以上の要素の群に分割するようにする。要素の群の各々に対して、この攪乱の影響が生じ、それ故、攪乱中間画像は可視的である。しかしながら、全画像は２つの混合画像を有し、それらの群の影響の和はその攪乱の影響を軽減する、又は少なくとも低減する。そのようにするために、純粋な白黒画像が可視的である期間、即ち、オーバーリセット条件が維持されている時間期間は、群毎に異なり、それらの群は散在していて、即ち、通常の視聴する距離からビューアが視聴するとき（即ち、拡大鏡又は他のそのような装置を用いずに）、異なる群により生成される画像は１つの画像に融合する。群の各々は、それ自体が見られているとき、画像を有する灰色色調間でハーシュ純粋白黒画像を示す攪乱の影響をもたらす。しかしながら、この影響が可視的である関連時間期間は、少なくとも遷移の一部について、群毎に異なり、それらの群は散在し、人間の目にとっては１つの単一画像を形成し、人間の目は群の影響を合成され、攪乱の少ない影響に平均化し、よりスムーズな画像切り替えが得られる。“散在している”は、通常の又は標準的な視聴距離（スクリーンの対角線の寸法の約３倍又はそれ以上）からビューアが見るとき、個々の群による画像は１つの画像に融合されることを意味する。そのような散在している群の一部の実施例は、例えば、偶数個の行又は偶数個の列が１つの群に属し、奇数個の行又は奇数個の列が他の群に属すような群である。ディスプレイ装置の列及び行のサイズは、通常の視聴距離において、それらのサイズがビューアにとって個別的に区別可能でなく、それ故、隣接する行を有する群における分離は２つの画像を１つの画像に融合する。それらの群はまた、行及び列の寸法が十分に小さい場合、列又は行の対、若しくは、列又は行の少数（１、２、３又は４つ）を有する交互の束を有することが可能である。また、小さい寸法のチェッカー盤状パターンを用いることが可能である。非散在の群は、例えば、１つの群はディスプレイスクリーンの左側半分を有し、他の群はディスプレイスクリーンの右側半分を有する、又は、１つの群はディスプレイスクリーンの上側半分を有し、他の群はディスプレイスクリーンの下側半分を有するような群である。そのような群は、ディスプレイスクリーンの異なる部分をカバーし、ビューアは、ほんの僅か異なって、上側（右側）半分において、次いで、下側（左側）半分において、単純に、同じ影響を２回見る。
【００１０】
好適には、駆動手段は、オーバーリセット信号の適用のためのアプリケーションスキームは、フレーム間のピクチャ要素の群間で交番するように備えられる。
【００１１】
群間で異なるオーバーリセット信号の適用は、画像切り替えのハーシュネスを低減する、上記のプラスの効果を有する。しかしながら、オーバーリセットパルスの適用は画像における電位の印加の履歴依存性を低減するが、より長い時間スケールでみて、全ての群がオーバーリセット信号の印加の同じ履歴を実質的に有する場合、そのオーバーリセットパルスの適用は最適である。画像間でピクチャ要素の群間のオーバーリセット電位差の印加のためのスキームを交番することにより、ピクチャ要素の群間の差は最小化される。それ故、例えば、ピクチャ要素の２つの群（Ａ、Ｂ）が用いられ、２つの適用スキームＩ及びＩＩがオーバーリセット電位差の印加のために用いられる場合、第１フレームにおいて、スキームＩが群Ａのために用いられ、そして、スキームＩＩが群Ｂのために用いられ、次のフレームにおいて、スキームＩＩが群Ａのために用いられ、そして、スキームＩが群Ｂのために用いられ、元に戻って、スキームＩが群Ａのために用いられ、そして、スキームＩＩが群Ｂのために用いられる、等である。適用スキームのピクチャ要素置換又は回転の３つ以上の群を用いる場合、それらの群において、本発明の概念は“交互”の分類に入る。好適な実施形態においては、それらのスキームは、フレームの変化毎に交互に変わるが、本発明の広い概念の範囲内では、それらのスキームは、ｎ個のフレーム毎に交互に変わることが可能であり、ここでは、ｎは１、２、３のような小さい数である。
【００１２】
一実施形態においては、駆動手段は、ピクチャ要素の各々の群にそれら自体のオーバーリセット電位差を供給するように備えられ、オーバーリセット電位差のための適用スキームは、時間差のみだけ、群毎に異なる。
【００１３】
この実施形態においては、時間差（遅延）が、要素の群に対するオーバーリセット電位差の印加の間で確立される。適用スキームは、基本的に、各々の群について方式が同じであるが、遅延だけ時間がシフトされる。オーバーリセット電位差の印加は、それ故、印加間の時間差（遅延）のために、異なる群について異なる時間において開始及び終了する。これは、単純な実施形態であり、各々の波形に対して同じである単純な波形遅延以上に必要としない。
【００１４】
他の実施形態においては、駆動手段は、各々の群にそれら自体のオーバーリセット信号を供給するように備えられ、オーバーリセット信号の適用スキームは、印加される電位差における差のみが群の間に確立されるように、群毎に異なる。
【００１５】
オーバーリセットパルスの適用の効果は、適用時間と適用される電位差の振幅との積に略比例することである。純粋な白黒画像が可視的である時間期間の開始及び長さは、電位差の振幅により調節される。オーバーリセット電位差の振幅における差は、それ故、オーバーリセット条件に達する時点を変える。振幅が大きければ大きい程、この条件が達することはより早くなる。
【００１６】
好適な実施形態においては、駆動手段は、ピクチャ要素の群間の適用スキームが異なるように備えられ、オーバーリセット電位差が最大期間より短い期間の間に印加される遷移の群の間で時間差が確立される、駆動手段であり、ピクチャ要素の全ての群については、最大時間長のオーバーリセット電位差の適用は、共通の開始時点及び終了時点を有する最大時間期間の範囲内で同期化され、そして、全ての群及び遷移については、オーバーリセット電位差の適用は、前記最大時間期間を超えて時間的に伸びることはない。
【００１７】
単純で、全体的であるが、時間的にシフトされた波形遅延を導入することにより、全ての群について同じ適用スキームが用いられる実施形態におけるように、全体的な切り替え時間は増加する。これはまた、単純な振幅の差が適用される場合にそうである。全体的な切り替え時間が長くなることは、通常、遷移時間、即ち、表示画像の次の画像への変化に必要な時間期間はできるだけ短く保たれるために、不利点を有する。好適な実施形態においては、オーバーリセットプラス最大時間長の適用は群間で同期化され、その不利点は生じない。
【００１８】
オーバーリセット中、ピクチャ要素の光学状態は、最初の光学状態から極限光学状態に駆動され、この極限光学状態に実質的に達した後、電位差は、所定の時間の間、維持される。その極限光学状態に達するために必要な時間期間は要素の最初の光学状態に依存する。最初の白色光学状態から開始して、最終の黒色光学状態に達するのに長い時間を要し、次いで、最初の濃い灰色の光学状態から開始される。それ故、ピクチャ要素をオーバーリセットするために必要は最大時間期間、即ち、最初の極限光学状態から逆の極限光学状態に要素をリセットし、次いで、所定の付加時間（所謂、オーバーリセット条件）の間、電位差を維持するために必要な時間期間が存在する。このような要素についての最大時間期間はまた、要素の群のためのものであり、他の極限光学状態から一の極限光学状態に達するように要素をリセットしている間に必要とする要素の群において、少なくとも幾つかのピクチャ要素が存在することが仮定され、最小時間期間は、全体として要素の群をオーバーリセットするために必要である。上記の実施形態におけるように、単純な時間遅延がピクチャ要素間に導入される場合、全体として画像をオーバーリセットするための最小時間期間は、最大時間遅延と共に増加するピクチャ要素をオーバーリセットするための最大時間期間である。ピクチャ要素の全ての群についての好適な実施形態においては、最大長のオーバーリセットパルス（即ち、最大時間期間の間のオーバーリセット電位差の印加）は同期化され、即ち、ピクチャ要素は、全ての群について同時に開始して終了し、それ故、全ての群について同じである。最大長のオーバーリセットパルスの同期化のために、全体としての画像は、ピクチャ要素をオーバーリセットするために最大時間期間に比べて増加していない時間期間内にオーバーリセットされる。最大時間期間より短い時間を要する、即ち、短い遷移は、時間差、即ち、要素の群間の遅延と共に適用される。一部の遷移、即ち、最大長のオーバーリセット電位差が印加される遷移のためのこのような実施形態においては、全ての群は、同じ同期化された電位差が適用され、そのことは、従属請求項において、“少なくとも一部の遷移について”の記載の理由について説明するものである。
【００１９】
好適には、オーバーリセット信号の適用のための時間遅延が適用され、その時間遅延は、オーバーリセットパルスの長さの減少と共に増加する。それは、容易な適用スキームを有する。オーバーリセットパルスの適用における遅延は、全ての要素が極限状態に達する時間を遅延させ、それ故、純粋な白黒画像が生成される時間を遅延させる。純粋な白黒画像が生成される時間は遅延される。このことは、遷移においてスムージング効果を有する。
【００２０】
本発明にしたがった方法においては、その方法は、オーバーリセット電位差が光学状態から極限光学状態にピクチャ要素をオーバーリセットするために適用され、複数のピクチャ要素は２つ又はそれ以上の散在するピクチャ要素の群を有する、方法であり、各々の群はそれら自体のオーバーリセット電位差のスキームを供給され、オーバーリセット電位差のためのそれらの適用スキームは、オーバーリセット条件が維持される時間が少なくとも所定の遷移のための前記群の間で異なるように、群毎に異なることにより特徴付けられる。
【００２１】
本発明の上記の及び他の特徴は、図面に関連付けて詳述し、明らかにする。
【００２２】
図の全てにおいて、対応する部分は、通常、同じ参照番号で表している。
【発明を実施するための最良の形態】
【００２３】
図１及び２は、第１基板８と、対向する第２基板と、複数のピクチャ要素２とを有するディスプレイパネル１の実施形態を示している。好適には、ピクチャ要素２は、実質的に直線に沿って二次元構造に配列されている。ピクチャ要素２の他の配列、例えば、ハニカム配列が、代替として可能である。帯電粒子６を有する電気泳動媒体５は各々のピクチャ要素２と関連付けられている。電極３、４は、電位差を受けることができる。図２においては、第１基板２は各々のピクチャ要素２のために第１電極３を有し、第２基板９は各々のピクチャ要素２のために第２電極４を有する。帯電粒子６は、電極３、４近傍の極限一と、電極３、４間の中間一とを占めることができる。各々のピクチャ要素２は、ピクチャを表示するために電極３、４間の帯電粒子の位置により決定されるアピアランスを有する。電気泳動媒体５それ自体については、米国特許第５，９６１，８０４号明細書、米国特許第６，１２０，８３９号明細書及び米国特許第６，１３０，７７４号明細書により知られていて、例えば、Ｅ  Ｉｎｋ社製のものがある。例としては、電気泳動媒体５は、白色流体中に負に帯電した黒色粒子６を有するものがある。帯電粒子６が第１極限位置に、即ち、第１電極３近傍にあるとき、例えば、１５Ｖである電位差の結果として、ピクチャ要素２のアピアランスは、例えば、白色である。ここで、ピクチャ要素２が第２基板９の側から観測されることを考慮する。帯電粒子６が第２極限位置に、即ち、第２電極近傍にあるとき、逆極性、即ち、−１５Ｖである電位差の結果として、ピクチャ要素２のアピアランスは黒色である。帯電粒子６が中間位置の一に、即ち、電極３、４間にあるとき、ピクチャ要素２は中間アピアランス、即ち、薄い灰色、中間の灰色及び濃い灰色の一を有し、それは白色と黒色との間の階調である。ドライブ手段１００が、粒子６が極限位置の一を実質的に占めることを可能にするために、リセット値及びリセット持続時間を有するリセット電位差であるように、そして、実質的に、粒子６が画像情報に対応する位置を占めることを可能にするための階調電位差であるように、各々のピクチャ要素２の電位差を制御するために備えられている。
【００２４】
図３は、２つの基板３３、３４の間に存在している電子インク、例えば、ポリエチレンを有する電気泳動フィルム、ベース基板３２を有する、例えば、数個の表示要素のサイズの電気泳動ディスプレイ装置３１の更なる実施例の一部の断面であって、基板３３は透明なピクチャ電極３５を備え、他の基板３４は透明な対向電極３６を備えている、断面を示している。電子インクは、約１０乃至５０μｍの複数のマイクロカプセルを有する。各々のマイクロカプセル３７は、流体Ｆに浮遊している正に帯電した白色粒子３８と負に帯電した黒色粒子３９とを有する。静電界が画素電極３５に印加されるとき、白色粒子３８は、対向電極３６に方向付けられたマイクロカプセル３７の側に移動し、表示要素はビューアにとって可視的になる。同時に、黒色粒子３９は、それらがビューアにとって見えないマイクロカプセル３７の反対側に移動する。画素電極に負電界を印加することにより、黒色粒子３９は対向電極３６の方に方向付けられたマイクロカプセル３７の側に移動し、表示要素はビューア（図示せず）にとって暗くなる。電界が除去されるとき、粒子３８、３９は取得された状態に維持され、ディスプレイは、双安定特性を示し、実質的に電力は消費されない。粒子が黒色及び白色であることが可能であるが、また、着色されていることが可能である。この点で、“階調”は、何れの中間的状態を意味すると理解されるべきであることが理解できる。ディスプレイが白黒のディスプレイであるとき、“階調”は、実際には、灰色色調に関係し、他の種類の着色要素が用いられるとき、‘階調’は、極限状態間の何れの中間的状態を包含すると理解されるべきである。
【００２５】
図４は、アクティブなスイッチング要素と、行ドライバ４６と、列ドライバ４０とを備えたベース基板３２において積層された電気泳動フィルムを有するピクチャ表示装置３１の等価回路を示している。好適には、対向電極３６が、カプセル化された電気泳動インクを有するフィルムにおいて備えられるが、面内電解を用いる動作の場合には、ベース基板において備えられる。表示装置３１は、アクティブスイッチング要素であって、この実施例においては、薄膜トランジスタ４９により駆動される。表示装置３１は、行又は選択電極４７と列又はデータ電極４１との交差領域において表示要素のマトリクスを有する。行ドライバ４６は、行電極４７を連続的に選択する一方、列ドライバ４０は、列電極４１にデータ信号を供給する。好適には、処理器４５は、先ず、入力データをデータ信号に処理する。列ドライバ４０と行ドライバ４６との間の相互同期化が駆動ラインを介して行われる。行ドライバ４６からの選択信号は、ゲート電極５０が行電極４７に電気的に接続され、ソース電極５１が列電極４１に電気的に接続されている、薄膜トランジスタ４９により画素電極４２を選択する。列電極４１に存在するデータ信号は、ＴＦＴを介してドレイン電極に結合された表示要素の画素電極５２に転送される。その実施形態においては、図３の表示装置はまた、各々の表示要素４８における位置に付加コンデンサ５３を有する。この実施形態においては、付加コンデンサ５３は、１つ又はそれ以上の記憶コンデンサライン５４に接続されている。ＴＦＴに代えて、他のスイッチング要素、例えば、ダイオード、ＭＩＭ等を適用することができる。
【００２６】
実施例としては、リセット電位差の適用前には、サブセットのピクチャ要素のアピアランスは薄い灰色であり、Ｇ２で表されている。更に、同じピクチャ要素の画像情報に対応するピクチャアピアランスは濃い灰色であり、Ｇ１で表されている。この実施例においては、ピクチャ要素の電位差は、図５Ａにおいては時間の関数として示されている。リセット電位差は、例えば、１５Ｖの値を有し、時間ｔ１から最大リセット持続時間、即ち、リセット期間プリセットである時間ｔ２、ｔ３までを有する。リセット持続時間及び最大リセット持続時間は、例えば、それぞれ、５０ｍｓｅｃ及び３００ｍｓｅｃである。ピクチャ要素は実質的に白色であり、Ｗで表されている。階調電位差はｔ３からｔ４まで存在し、例えば、−１５Ｖの電圧及び、例えば、１５０ｍｓｅｃの持続時間を有する。その結果、ピクチャ要素は、ピクチャを表示するために濃い灰色（Ｇ１）のアピアランスを有する。
【００２７】
サブセットの各々のピクチャ要素のための最大リセット持続時間、即ち、完全なリセット期間は、極限位置から他の極限位置の一にそれぞれのピクチャ要素の粒子６の位置を変化させるために必要な持続時間に実質的に等しい。この実施例におけるピクチャ要素基準については、最大リセット持続時間は、例えば、３００ｍｓｅｃである。
【００２８】
他の実施例としては、図５Ｂにおいて、ピクチャ要素の電位差が時間の関数として示されている。ピクチャ要素のアピアランスは、リセット電位差の印加の前には、濃い灰色（Ｇ１）である。更に、ピクチャ要素の画像情報に対応するピクチャのアピアランスは薄い灰色（Ｇ２）である。リセット電位差は、例えば、１５Ｖの値を有し、時間ｔ１から時間ｔ２まで存在する。リセット持続時間は、例えば、１５０ｍｓｅｃである。その結果、ピクチャ要素は、実質的に白色（Ｗ）であるアピアランスを有する。階調電位差はｔ３からｔ４まで存在し、例えば、−１５Ｖの電圧及び、例えば、５０ｍｓｅｃの持続時間を有する。その結果、ピクチャ要素は、ピクチャを表示するために、薄い灰色（Ｇ２）であるアピアランスを有する。本発明にしたがった装置においては、オーバーリセットパルスが印加され、即ち、ｔ１とｔ２との間のリセットパルスの長さ及び／又は振幅は、より強力である、又は、その要素を所望の極限状態にするために名目上、必要とされるものよりより長い時間の持続時間の間、適用される。オーバーリセットの適用は、何れの残像履歴の影響を除去する有利点を有する。ピクチャ要素が極限光学状態にあることは全く確かである。
【００２９】
実施形態の他の変形においては、駆動手段１００は、画像情報に対応する粒子６の位置に最も近い極限位置を粒子６が占めることを可能にするように、各々のピクチャ要素のリセット出に差を制御するために更に備えられている。実施例としては、ピクチャ要素のアピアランスは、リセット電位差の印加前には、薄い灰色（Ｇ２）である。更に、ピクチャ要素の画像情報に対応するピクチャのアピアランスは濃い灰色（Ｇ１）である。この実施例においては、ピクチャ要素の電位差は、図６Ａにおいては、時間の関数として示されている。リセット電位差は、例えば、−１５Ｖの値を有し、時間ｔ１から時間ｔ２まで存在する。リセット持続時間は、例えば、１５０ｍｓｅｃである。その結果、粒子６は第２極限位置を占め、そのピクチャ要素は、実質的に黒色のアピアランスを有し、Ｂで表されていて、その第２極限位置は画像情報に対応する粒子６の位置に最も近い、即ち、ピクチャ要素２は濃い灰色のアピアランス（Ｇ１）を有する。階調電位差は時間ｔ３から時間ｔ４まで存在し、例えば、１５Ｖの値及び、例えば、５０ｍｓｅｃの持続時間を有する。その結果、ピクチャ要素２は、ピクチャを表示するために、濃い灰色（Ｇ１）であるアピアランスを有する。他の実施例としては、他のピクチャ要素のアピアランスは、リセット電位差が適用される前には、薄い灰色（Ｇ２）である。更に、このピクチャ要素の画像情報に対応するピクチャのアピアランスは実質的に白色（Ｗ）である。この実施例については、ピクチャ要素の電位差は、図６Ｂにおいて時間の関数として示されている。リセット電位差は、例えば、１５Ｖの値を有し、時間ｔ１から時間ｔ２まで存在する。リセット持続時間は、例えば、５０ｍｓｅｃである。その結果、粒子６は第１極限位置を占め、ピクチャ要素は、実質的に白色（Ｗ）のアピアランスを有し、その第１極限位置は画像情報に対応する粒子６の位置に最も近い、即ち、ピクチャ要素２は実質的に白色のアピアランスを有する。ピクチャを表示するために、アピアランスは既に、実質的に白色であるため、階調電位差は時間ｔ３から時間ｔ４まで存在し、０Ｖの値を有する。
【００３０】
図７においては、ピクチャ要素は、実質的に直線７０に沿って配列されている。粒子６が、極限位置の一、例えば、第１極限位置を実質的に占める場合、ピクチャ要素は、実質的に等しい第１アピアランス、例えば、白色を有する。粒子６が、極限位置の他の一、例えば、第２極限位置を実質的に占める場合、ピクチャ要素は、実質的に等しい第２アピアランス、例えば、黒色を有する。駆動手段は、粒子６が等しくない極限位置を実質的に占めることを可能にする各々の線７０に沿って、続くピクチャ要素２のリセット電位差を制御するために更に配列されている。図７は、リセット電位差の結果として、第１アピアランス及び第２アピアランスの平均を表すピクチャを示している。そのピクチャは、実質的に中間の灰色を表す。
【００３１】
図８においては、ピクチャ要素２は、実質的に直線状の行７１にそって、そして、二次元構造においてそれらの行に対して実質的に垂直である実質的に直線状の列７２に沿って配列され、各々の行７１は、第１のピクチャ要素の数、例えば、図８においては４を有し、各々の列７２は、第２のピクチャ要素の数、例えば、図８においては３を有する。粒子６が、極限位置の一、例えば、第１極限位置を実質的に占める場合、ピクチャ要素は、実質的に等しい第１アピアランスを有する。粒子６が、極限位置の他の一、例えば、第２極限位置を実質的に占める場合、ピクチャ要素は、実質的に等しい第２アピアランスを有する。駆動手段は、粒子６が等しくない極限位置を実質的に占めることが可能であるように各々の行７１に沿って、続くピクチャ要素２のリセット電位差を制御するために更に配列され、そして、駆動手段は、粒子６が等しくない極限位置を実質的に占めることが可能であるように各々の列７２に沿って、続くピクチャ要素２のリセット電位差を制御するために更に配列されている。図８は、リセット電位差の結果として、第１アピアランス及び第２アピアランスの平均を表すピクチャを示している。そのピクチャは実質的に中間の灰色を示し、上記実施形態に比べて、幾らかスムーズである。
【００３２】
その装置の変形においては、駆動手段は、リセット電位差の前に、プリセット電位差のシーケンスであるように各々のピクチャ要素の電位差を制御するために更に備えられている。好適には、プリセット電位差のシーケンスはプリセット値及び関連プリセット持続時間を有し、そのシーケンスのプリセット値は符号が交互に変わり、各々のプリセット電位差は、極限位置の一に存在する粒子６をそれらの位置から開放するには十分であるが、前記粒子が極限位置の他の一に達すようにするには不十分であるプリセットエネルギーを表している。実施例として、ピクチャ要素のアピアランスは、プリセット電位差のシーケンスの印加前には、薄い灰色である。更に、ピクチャ要素の画像情報に対応するピクチャアピアランスは濃い灰色である。この実施例のために、ピクチャ要素の電位差が、図９において、時間の関数として示されている。その実施例においては、プリセット電位差のシーケンスは、時間ｔ０からｔ１までに実質的に、印加される４つのプリセット値、即ち、１５Ｖ、−１５Ｖ、１５Ｖ及び−１５Ｖを有する。各々のプリセット値は、例えば、２０ｍｓｅｃの間、印加される。続いて、リセット電位差は、例えば、−１５Ｖの値を有し、時間ｔ１からｔ２まで存在する。リセット持続時間は、例えば、１５０ｍｓｅｃである。その結果、粒子６は第２極限位置を占め、ピクチャ要素は実質的に黒色のアピアランスを有する。階調電位差は、時間ｔ３からｔ４まで存在し、例えば、１５Ｖの値及び、例えば、５０ｍｓｅｃの持続時間を有する。その結果、ピクチャ要素１２は、ピクチャを表示するために、濃い灰色であるアピアランスを有する。プリセットパルスの印加のプラス効果の基礎を成す機構のための特定の説明に結びつけられることなく、プリセットパルスの印加は電気泳動粒子の運動量を増加させ、それ故、切り替え時間を短縮し、それ故、切り替え、即ち、アピアランスの変化を達成するために必要な時間を短縮することが仮定されている。表示装置が所定状態、例えば、黒色状態に切り替えられた後、電気泳動粒子は、それらの粒子の周りの逆符号のイオンにより“凍結”されることがまた、可能である。続く切り替えが白色状態への切り替えであるとき、それらの逆符号のイオンはタイムリーに開放される必要がある、そのことには付加的な時間が必要である。プリセットパルスの印加は、逆符号のイオンの開放を、それ故、電気泳動粒子の凍結解除を短縮し、したがって、切り替え時間を短縮する。
【００３３】
上記のように、電気泳動表示における階調の正確度は、画像履歴、滞留時間、温度、湿度、電気泳動フォイルの側方不均一性等に強く影響される。リセットパルスを用いる場合、正確な階調レベルは、階調は常に、基準黒色状態（Ｂ）又は基準白色状態（Ｗ）（２つの極限状態）のどちらから達成される。パルスシーケンスは、通常、２つ乃至４つの部分であって、シェーキングパルス（任意に、ここでは、シェーク１とまた、呼ぶ）、リセットパルス、シェーキングパルス（（任意に、ここでは、シェーク２とまた、呼ぶ）及び階調駆動パルスを有する。
【００３４】
上記の実施例において説明したように、オーバーリセット電位が用いられる。オーバーリセット電位差の印加は、一部の時間期間の間、続いて維持される純粋な白黒に各々のピクチャ要素を、それ故、画像を駆動する。それ故、灰色色調を有する画像から開始して、灰色色調を有する他の画像に変化する場合、純粋な白黒の中間画像が見える。この中間画像はビューアにとって可視的である。図１０は、ｔ＝０において灰色色調の画像から開始し、他の灰色色調の画像Ｂが生成される遷移について示している。中間の純粋な白黒画像Ｉは、時間ｔ′１とｔ３との間で可視的である。図の下に、ハーシュネスファクタＨを模式的に示している。時間ｔ′１とｔ３との間、即ち、オーバーリセット条件が維持されているとき、ハーシュ画像が示される。これは攪乱影響である。例えば、他に同じ状態にある灰色色調の画像の僅かなシフトがそのような影響をもたらすことを述べておく必要がある。その純粋な白黒画像が可視的である理由については、図１１における実施例として説明することできる。
【００３５】
白色（Ｗ）から濃い灰色（ＤＧ）へ、薄い灰色（ＬＧ）から濃い灰色（ＤＧ）へ、濃い灰色（ＤＧ）から黒色（Ｂ）へ及び黒色（Ｂ）から濃い灰色（ＤＧ）への４つの遷移についての適用のスキームを順に図示している。各々の波形は、第１プリセット信号（シェーク１）、オーバーリセット信号、第２プリセット信号（シェーク２）及び最終の階調電位差（Ｖ，ｔ）ｄｒｉｖｅを有する。オーバーリセット信号の適用中のある時間に、要素は、この場合には黒色である最終の動作状態に達する。この点は矢印Ｂで示されている。その点から前方に、要素は最終状態に、即ち、完全に黒色に保たれる。同様な図を、極限の白色の光学状態を介する遷移について描くことが可能である。時間ｔ＝０まで、オリジナルの灰色色調の画像が可視的である。要素は黒色に変化し、全ての要素は時間ｔ′１において黒色である。時間ｔ３においては、要素の光学状態は時間ｔ４まで再び、変化し、その時間ｔ４の時点で、灰色色調の画像Ｂは可視的である。このスキームは、時間ｔ′１とｔ３との間の期間において、要素全ては黒色であることを示している。この時間期間中、純粋な白黒画像が可視的である。
【００３６】
図１２は、１つの変化を有する図１１のスキームを示し、オーバーリセット電位差の印加は、遅延時間Δにより遅延される。その図の一番下に示しているように、この変化は、実際には、改善するものではない。純粋の白黒画像は、遅延Δのみだけ遅延される、等しく長い時間期間の間、可視的である。しかしながら、両方のスキームについての可視的効果は同じであるが、人間の眼が平均画像を見るスクリーンにおいて非常に分散された要素は２つの群に分割されているスキームの組み合わせは、その効果を低減させる。
【００３７】
これについては図１３に示している。その図の上の部分は、スキームＩ（図１１）及びＩＩ（図１２）についてのハーシュネス指標Ｈを模式的に示している。要素が２つの散在した群に分割されるとき、ハーシュネス指標Ｈが最大（曲線の最上部）である時間期間は遅延Δにより短縮されるため、全体的効果については図１３の下半分に模式的に示していて、画像間の非常に長い徐々の変化を示している。
【００３８】
図１１及び１２は、群間に適用されるオーバーリセット電位差の波長における差を単純な時間遅延Δが特徴付けている、本発明の簡単な実施形態を示している。この実施例においては、２つの群（Ｉ、ＩＩ）を用いている。本発明の範囲内で、３つ以上の群を用いることが可能であり、その場合、一般に、更に多い群を用いて、よりスムーズな遷移を実行することが可能であるが、エレクトロニクスが更に複雑になる。他の有効な実施形態は、群の間に差は、時間遅延においてはそれ程ないが、適用されるオーバーリセット電位差の振幅（電圧）においてはあるという実施形態である。オーバーリセットパルスの適用の効果は、適用される電位差の振幅と適用される時間との積に略比例している。純粋の白黒画像が可視的である時間期間の開始及び長さは、電位差の振幅により調節されることができる。オーバーリセット電位差の振幅における差は、それ故、オーバーリセット条件が達成される時間を変化させる。その振幅が大きくなれば大きい程、より早くこの条件に到達するようになる。
【００３９】
そのような実施形態は比較的簡単であるが、図１３に示すような不利点を有し、例えば、遅延時間Δにより、全遷移時間は増加する。図示している実施例においては、時間差は加えられた時間差であり、即ち、全ての遷移に対して同じであり、それは、好適な実施形態である。実施形態においては、時間差は異なる遷移に対して異なることが可能であることを説明しておく。
【００４０】
図１４は、そのようではない、本発明の実施形態の実施例について示している。そのスキームにおいては、最初の状態から黒色への遷移のために必要な名目上の時間は、ｔｉｎｉｔｉａｌ  ｓｔａｔｅ−Ｂで表されていて、ここで、最初の状態は白色（Ｗ）、薄い灰色（Ｇ２）及び濃い灰色（Ｇ１）である。名目上、必要とされるものより長い時間期間はＴｔｏｖｅｒ−ｒｅｓｅｔのように表されている。両方のスキームにおいて、最も長い持続時間（白色（Ｗ）から黒色（Ｂ）まで）のオーバーリセット電位差の適用のための波形は同じであり、同じ時点で開始し、そして、同じ時点で終了する。他の遷移のための波形は何れも、それらの開始時点又は終了時点を超えない。左側のスキームＩを右側のスキームＩＩと比較するとき、それら４つの遷移の三つに対するオーバーリセット条件は、時間におけるシフトΔ′を示すが、シフトされなかった最長の遷移（ＷからＢまで）に対しては、そうではない。その結果、スキームＩ及びＩＩを用いる２つの散在する群が用いられるとき、オーバーリセットのために必要な時間期間を長くすることなく、スムージング効果が生じる。
【００４１】
この実施形態においては、駆動手段は、時間の差分（Δ′）が遷移の群（Ｇ２−Ｂ、Ｇ１−Ｂ、Ｂ−Ｂ）間で確立される点で、群（Ｉ、ＩＩ）間のアプリケーションスキームが異なるように備えられ、それらの遷移において、オーバーリセット電位差は、最大期間より短い期間の間、適用され、全ての群に対して、最大時間の長さ（Ｗ−Ｂ）のオーバーリセット電位差は、開始時点（ｔｓｔａｒｔ）及び終了時点（ｔｅｎｄ）を有する最大時間期間内で同期化し、全ての群及び遷移に対して、オーバーリセット電位差の適用は、前記最大時間期間を超えない。その時間差は、一定の長さを有することが可能であり、好適には、一定の長さを有する。このことは、それらのスキーム間の差を簡単化する。
【００４２】
図１５及び１６は、本発明の他の実施形態を示し、それにより、共通の時間遅延Δが第２スキームに適用されるが、全遷移時間は増加しないという有利点を有する。
【００４３】
図１５は、この実施例においては白色（Ｗ）から濃い灰色（Ｇ１）までの２つの変化であって、オーバーリセット電位差の印加が遅延時間Δだけ遅延される変化と、第２シェーキングパルスが最長遷移により除去される変化を有する図１１のスキームを示している。この実施例においては、遅延時間Δは、第２シェーキングパルスの持続時間に等しく設定され、それにより、全遷移時間を増加する必要はない。更なる実施例においては、異なる遅延時間Δを用いることが可能である。それらの遅延時間が第２シェーキングパルスより短い場合、全遷移時間の増加はまた、必要ない。それらの遅延時間が第２シェーキングパルスより長い場合、全遷移時間の増加がもたらされるが、第２シェーキングパルスが最長波形から除去されない場合、小さい増加がもたらされる。また、両方のスキームのための可視的遅延効果は同様であるが、人間の目が平均画像を見るスクリーンにおいて非常に分散されている２つの群に要素が分離されているスキームの組み合わせは、その効果を低減させる。
【００４４】
図１６は、この実施例においては白色（Ｗ）から濃い灰色（Ｇ１）までの２つの変化であって、オーバーリセット電位差の印加が遅延時間Δだけ遅延される変化と、オーバーリセット電位差の持続時間が最長遷移に対して減少される変化を有する図１１のスキームを示している。この実施例においては、遅延時間Δは、オーバーリセット電位差の持続時間における減少に等しく設定され、それにより、全遷移時間を増加する必要はない。更なる実施例においては、異なる遅延時間Δを用いることが可能である。それらの遅延時間がオーバーリセット電位差の持続時間における減少より短い場合、全遷移時間の増加はまた、必要ない。それらの遅延時間がオーバーリセット電位差の持続時間における減少より長い場合、全遷移時間の増加がもたらされるが、第２シェーキングパルスが最長波形から除去されない場合、小さい増加がもたらされる。また、両方のスキームのための可視的遅延効果は同様であるが、人間の目が平均画像を見るスクリーンにおいて非常に分散されている２つの群に要素が分離されているスキームの組み合わせは、その効果を低減させる。
【００４５】
図１１、１２、１４、１５及び１６は、負に帯電した白色粒子と正に帯電した黒色粒子とを有する実施形態を示していることを説明しておく。本発明にとっては、白色粒子が負に帯電していて、黒色粒子が正に帯電しているかどうか又はその逆であるかどうかによる差異はない。
【００４６】
遷移時間が増加しないことは有利であり、より複雑な駆動スキームが実施されなければならないことは不利である。
【００４７】
群の間で異なるオーバーリセット信号の適用は、画像切り替えのハーシュネスを低減させる、上記の有効な効果を有する。しかしながら、オーバーリセットパルスの適用は、画像の電位印加履歴依存性をもたらし、長い時間スケールにおいて理解できるように、全ての群は、オーバーリセット信号の適用と同じ履歴を実質的に有する。画像間で群の間のオーバーリセット信号の適用のためのスキームを変えることにより、群の間の差を最小化することができる。それ故、例えば、２つの群（Ａ、Ｂ）を用い、オーバーリセット電位差の適用のために２つのスキームＩ及びＩＩを用いる場合、第１フレームスキームＩが群Ａについて用いられ、スキームＩＩが群Ｂについて用いられ、続くフレームスキームＩＩは群Ａについて及びスキームＩＩは群Ｂに用いられ、続くフレームにおいて、群ＡについてのスキームＩに及び群ＢについてスキームＩＩに戻る。３つ以上の群を有する場合、スキームの置換又は回転が用いられ、本発明の概念の範囲内で、“交番する”ことが可能である。好適な実施形態においては、スキームは、各々のｎ個のフレームを交番することが可能であり、ここで、ｎは、１、２、３のような小さい数である。全てのフレームの代わりに全ての第２フレーム又は第３フレームを交番する有利点は、それが簡単であることである。
【００４８】
散在している群に分割された複数の表示要素はディスプレイ装置の表示スクリーンの全てをカバーすることが可能であり、しばしば、そのようにするが、そのようなカバーは、本発明の広い概念においては必要なく、大きいスクリーンの一部に関連付けられることが可能であることを述べておく。例えば、画像が定期的に変化し、灰色色調（例えば、写真に対して）を有するディスプレイスクリーンの第１部分を有する一方、ディスプレイスクリーンの他の部分が純粋な白黒画像（例えば、白色の背景とする黒色のテキスト）を表示するように用いられている場合、本発明は第１部分について用いることが可能であり、ディスプレイスクリーンの第２部分について用いられないことが可能である。
【００４９】
要約すると、本発明について、次のように述べることが可能である。
【００５０】
電気泳動ディスプレイパネル（１）は、階調パルスの適用に先行してオーバーリセットパルスを供給するために、複数のピクチャ要素と、駆動手段とを有する。ディスプレイパネルは、２つ又はそれ以上の散在した表示要素の群を有する。各々の群はそれら群自体のオーバーリセット電位差のスキーム（Ｉ、ＩＩ）を供給され、オーバーリセット電位差のための適用スキームは、オーバーリセット条件が維持されている時間が少なくとも一部の遷移のための前記群間で異なるように、群毎に異なっている。
【００５１】
実施形態においては、オーバーリセット条件が維持される時間は、オーバーリセットが適用される全ての遷移に対して異なる。
【００５２】
群における分割は固定されることが可能であり、群へのスキームの割り当ては固定されることが可能であり、例えば、ここでは、オーバーリセットパルスの第１スキームは、ディスプレイ要素の偶数の行に供給され、第２の異なるスキームは奇数行について用いられ、それらの群は固定されることが可能であるが、その割り当ては、例えば、フレーム間で変わることが可能であり、また、群は固定される必要はなく、その場合、例えば、一フレームにおいて、分割は、奇数行及び偶数行を有する２つの群になされ、次のフレームにおいては、３つの群が用いられる、等である。
【００５３】
本発明は、上記のように特定の図に示して、詳述したことに限定されないことを、当業者は理解するであろう。本発明は、各々の及び全ての新規な特徴及び各々の及び全ての新規な特徴の組み合わせに備わっている。表現“を有する”及びその表現の派生の表現は、請求項に記載されている要素又は段階以外の要素又は段階の存在を排除するものではない。要素の単数表現はそのような要素の複数の存在を排除するものではない。
【００５４】
本発明はまた、本発明のための特定の機能を実行するために、前記プログラムがコンピュータにおいて実行されるときに本発明にしたがった方法を実行するためのプログラムコード手段を有する何れのコンピュータプログラムにおいて、プログラムがコンピュータにおいて実行されるときに、本発明にしたがった方法を実行するためのコンピュータ読み出し可能媒体に記憶されているプログラムコード手段を有する何れのコンピュータプログラムプロダクトにおいて、並びに、本発明にしたがってディルプレイパネルで用いるプログラムコード手段を有する何れのプログラムプロダクトにおいて具現化される。
【００５５】
本発明については、特定の実施形態に関連して詳述したが、それらの実施形態は本発明の例示であって、本発明を限定するものと解釈されるべきではない。本発明は、ハードウェア、ファームウェア又はソフトウェア若しくはそれらの組み合わせにおいて実施されることが可能である。他の実施形態は、同時提出の特許請求の範囲における範囲内にある。
【図面の簡単な説明】
【００５６】
【図１】ディスプレイパネルの平面図である
【図２】図１のＩＩ−ＩＩ線に沿った断面図である。
【図３】電気泳動ディスプレイ装置の他の実施例の一部の断面図である。
【図４】図３のピクチャディスプレイ装置の等価回路を示す図である。
【図５Ａ】一駆動スキームのためのピクチャ要素についての時間の関数として、電位差を示す図である。
【図５Ｂ】他の駆動スキームのためのピクチャ要素についての時間の関数として、電位差を示す図である。
【図６Ａ】他の駆動スキームのためのピクチャ要素についての時間の関数として、電位差を示す図である。ディスプレイパネルの平面図である
【図６Ｂ】他の駆動スキームのためのピクチャ要素についての時間の関数として、電位差を示す図である。
【図７】他の実施形態の変形におけるリセット電位差の結果としての第１アピアランス及び第２アピアランスの平均を表すピクチャを示す図である。
【図８】他の実施形態の変形におけるリセット電位差の結果としての第１アピアランス及び第２アピアランスの平均を表すピクチャを示す図である。
【図９】ピクチャ要素について時間の関数として電位差を表す図である。
【図１０】最初の灰色色調画像Ａから中間の白黒画像Ｉを介して、次の灰色色調画像Ｂへの遷移を示す図である。
【図１１】第１駆動スキームを示す図である。
【図１２】遅延時間Δが付加された図１１の駆動スキームと異なる第２駆動スキームを示す図である。
【図１３】図１１及び１２のスキームを用いて、２つの散在する群の効果を示す図である。
【図１４】本発明の他の実施形態を示す図である。
【図１５】本発明の他の実施形態を示す図である。
【図１６】本発明の他の実施形態を示す図である。
【図１】
2007519972.tif 000003
【図２】
2007519972.tif 000004
【図３】
2007519972.tif 000005
【図４】
2007519972.tif 000006
【図５Ａ】
2007519972.tif 000007
【図５Ｂ】
2007519972.tif 000008
【図６Ａ】
2007519972.tif 000009
【図６Ｂ】
2007519972.tif 000010
【図７】
2007519972.tif 000011
【図８】
2007519972.tif 000012
【図９】
2007519972.tif 000013
【図１０】
2007519972.tif 000014
【図１１】
2007519972.tif 000015
【図１２】
2007519972.tif 000016
【図１３】
2007519972.tif 000017
【図１４】
2007519972.tif 000018
【図１５】
2007519972.tif 000019
【図１６】
2007519972.tif 000020
【国際調査報告】
2007519972.tif 000021
2007519972.tif 000022